(57)【要約】      （修正有）【課題】調理物を揚げ調理している領域の広範囲に渡って電場を形成することができ、揚げ調理した揚げ調理物の品質にムラが生じず、短時間で効率良く調理物を揚げ調理することができるフライヤーを提供する。【解決手段】調理物を揚げ調理する際に用いられ、食用油を貯留する油槽タンクと、電圧を印加することによって電場を発生する電場発生部２とから成り、食用油を貯留した油槽タンク１内に配設した電場発生部２に電圧を印加し食油中に電場を形成するように構成したフライヤーにおいて、電場発生部２を、開孔率４０％〜６０％の多孔板３で五面若しくは六面の箱状体に形成して調理物を収容し得るように構成すると共にセラミックス及びフッ素樹脂をコーティングした構成としたフライヤー。【選択図】図１
0003179641.tif 000002
【実用新案登録請求の範囲】
【請求項１】
調理物を揚げ調理する際に用いられ、食用油を貯留する油槽タンクと、電圧を印加することによって電場を発生する電場発生部とから成り、食用油を貯留した前記油槽タンク内に配設した前記電場発生部に電圧を印加し前記食油中に電場を形成するように構成したフライヤーにおいて、前記電場発生部を、開孔率４０％〜６０％の多孔板で五面若しくは六面の箱状体に形成して前記調理物を収容し得るように構成すると共にセラミックス及びフッ素樹脂をコーティングした構成としたことを特徴とするフライヤー。
【請求項２】
前記電場発生部は、前記油槽タンクの壁面から２５ｍｍ以上離間してこの油槽タンク内に配設したことを特徴とする請求項１記載のフライヤー。
【請求項３】
前記電場発生部に電圧を印加するための電源装置を備えた構成とし、前記電源装置は、交流電源に接続する入力部と、一次コイルを前記入力部に接続し二次コイルを出力部に接続する昇圧用変圧器と、前記電場発生部に接続する前記出力部とを備え、前記昇圧用変圧器の二次コイルの一端をアースに接続し、他端を抵抗部を介して前記出力部に接続するように構成したことを特徴とする請求項１，２のいずれか１項に記載のフライヤー。
【請求項４】
前記抵抗部は二つ以上の抵抗体を並列状態に設けた構成としたことを特徴とする請求項３記載のフライヤー。
【考案の詳細な説明】
【技術分野】
【０００１】
本考案は、天ぷらや揚物など調理物を揚げ調理する際に用いるフライヤーに関するものである。
【背景技術】
【０００２】
フライヤーを用いて天ぷらや揚物など調理物を揚げ調理する際、フライヤーの油槽タンク内に貯留した食用油中に電場を形成しながら揚げ調理すると、食用油の劣化が抑制され食用油の寿命が延びたり、調理時間の短縮が図られたり、或いは、揚げ調理した調理物の品質が向上することが知られている。
【０００３】
この食用油中に電場を形成しながら揚げ調理することができるフライヤーは、食用油を貯留した油槽タンク内に配設した電極板に高電圧を印加してこの電極板から電場を発生させるように構成したものであり、従来、特許文献１や特許文献２に示すようなものが提案されている。
【先行技術文献】
【特許文献】
【０００４】
【特許文献１】特開平１１−１１３７６１号公報
【特許文献２】特開２００１−０４６２４７号公報
【考案の概要】
【考案が解決しようとする課題】
【０００５】
しかしながら、上記の従来のフライヤーは、食用油中に形成される電場の領域が狭く、調理物を揚げ調理している領域に均一に電場形成による効果が及ばない場合があり、電場効果が及ぶ領域と及ばない領域で差が生じてしまい、これにより揚げ調理時間がばらついたり品質（揚げ具合）にムラが生じたりすることがあった。
【０００６】
本考案は、上述のような現状に鑑みなされたもので、調理物を揚げ調理している領域の広範囲に渡って電場を形成することができ、揚げ調理した揚げ調理物の品質にムラが生じず、短時間で効率良く調理物を揚げ調理することができるフライヤーを提供することを目的とする。
【課題を解決するための手段】
【０００７】
添付図面を参照して本考案の要旨を説明する。
【０００８】
調理物を揚げ調理する際に用いられ、食用油を貯留する油槽タンク１と、電圧を印加することによって電場を発生する電場発生部２とから成り、食用油を貯留した前記油槽タンク１内に配設した前記電場発生部２に電圧を印加し前記食油中に電場を形成するように構成したフライヤーにおいて、前記電場発生部２を、開孔率４０％〜６０％の多孔板３で五面若しくは六面の箱状体に形成して前記調理物を収容し得るように構成すると共にセラミックス及びフッ素樹脂をコーティングした構成としたことを特徴とするフライヤーに係るものである。
【０００９】
また、前記電場発生部２は、前記油槽タンク１の壁面１Ａから２５ｍｍ以上離間してこの油槽タンク１内に配設したことを特徴とする請求項１記載のフライヤーに係るものである。
【００１０】
また、前記電場発生部２に電圧を印加するための電源装置を備えた構成とし、前記電源装置は、交流電源に接続する入力部４と、一次コイル５Ａを前記入力部４に接続し二次コイル５Ｂを出力部６に接続する昇圧用変圧器５と、前記電場発生部２に接続する前記出力部６とを備え、前記昇圧用変圧器５の二次コイル５Ｂの一端をアースに接続し、他端を抵抗部７を介して前記出力部６に接続するように構成したことを特徴とする請求項１，２のいずれか１項に記載のフライヤーに係るものである。
【００１１】
また、前記抵抗部７は二つ以上の抵抗体を並列状態に設けた構成としたことを特徴とする請求項３記載のフライヤーに係るものである。
【考案の効果】
【００１２】
本考案は上述のように構成したから、調理物を揚げ調理している領域の広範囲に渡って電場を形成することができ、揚げ調理した揚げ調理物の品質にムラが生じず、短時間で効率良く調理物を揚げ調理することができる実用性に優れたフライヤーとなる。
【００１３】
即ち、本考案は、電場を発生する電場発生部を五面若しくは六面の箱状体に形成して調理物を収容し得るように構成したので、食用油中に形成される電場は、電場発生部に収容した調理物を囲繞するように形成され、これにより、電場発生部内に収容した全ての調理物に対して略均一に電場効果を作用させることができるようになる。
【００１４】
また、この電場効果が作用した調理物は、調理物内の水分子がクラスター効果により細分化されて電場を形成しない場合に比して早く蒸発し、この水分がより速く蒸発することによって揚げ調理時間が短縮される。
【００１５】
また、電場中の界面動電現象により、電場発生部から放射状に発生する電場（電気力線）の向きに油槽タンク内（電場発生部内）の食用油が流動するので、食用油と調理物との熱交換が効率的に行われて、更に揚げ調理時間が短縮される。
【００１６】
更に、この界面動電現象による食用油の流動によって、揚げ調理の際に害となる極性化合物（水や揚げカス）が調理物から離脱する方向に移動するので、この極性化合物が調理物に付着せず、品質が低下しない。
【００１７】
従って、本考案は、食用油中に電場を形成することによって生じるクラスター効果及び界面動電現象による熱交換の効率化を、揚げ調理するために油槽タンク内に投入した全ての調理物に対して均一に作用させることができるので、高品質な揚げ調理物を安定的且つ効率良く提供することができる実用性に優れた画期的なフライヤーとなる。
【００１８】
しかも、本考案は、電場発生部にセラミックスとフッ素樹脂をコーティングしたので、電場発生部の耐熱性、耐久性が向上し、更に、セラミックスが放射する遠赤外線の効果により調理物を内部（中心部）側からも加熱することができるので、一層短時間で揚げ調理することができ、また、フッ素樹脂によって、電場発生部に付着した汚れが容易に除去できるので、洗浄作業も容易となる極めて実用性に優れた画期的なフライヤーとなる。
【００１９】
また、請求項２記載の考案においては、電場発生部に印加した電圧が油槽タンク側へリークすることを可及的に低減し、より効率良くに電場発生部に電場を発生させることができる実用性に優れたフライヤーとなる。
【００２０】
また、請求項３記載の考案においては、抵抗部により流れる電流が制限されるので、作業者の感電防止効果を発揮すると共に、万が一、出力部側がショートしても昇圧用変圧器の破損を防ぐことができ、しかも、昇圧用変圧器の二次コイルの一端をアースに接続したことによって、出力電圧が安定すると共に効率良く出力される（ロスが少ない）ため、電源装置自体を小型化することができ、これによりフライヤー自体をコンパクト化することができる実用性に優れた画期的なフライヤーとなる。
【００２１】
また、請求項４記載の考案においては、抵抗部の発熱を抑制することができ、故障が起きにくい信頼性の高いフライヤーとなる。
【図面の簡単な説明】
【００２２】
【図１】本実施例の電場発生部を示す説明斜視図である。
【図２】本実施例の電極接続部及び電極部を示す説明側断面図である。
【図３】本実施例を示す説明側断面図である。
【図４】本実施例を示す説明平面図である。
【図５】本実施例の電源装置の概略回路図である。
【考案を実施するための形態】
【００２３】
好適と考える本考案の実施形態を、図面に基づいて本考案の作用を示して簡単に説明する。
【００２４】
油槽タンク１内に配設しこの油槽タンク１内に貯留した食用油中に浸漬した状態にある電場発生部２に電圧を印加すると、この電場発生部２に電場が発生し、食用油中に電場が形成される。
【００２５】
この際、本考案は、電場を発生する電場発生部２を五面若しくは六面の箱状体に形成したので、従来のフライヤーよりも広範囲に渡って電場が形成されることとなり、具体的には、電場発生部２に収容した調理物を囲繞するように電場が形成されることとなる。
【００２６】
即ち、食用油中に形成する電場を調理物を囲繞するように形成することによって、油槽タンク１内の調理物を揚げ調理する領域全体に電場効果が及び、揚げ調理するために油槽タンク１内に投入した調理物の全てに対して略均一に電場効果が作用することができ、従来のフライヤーのように、電場効果が及ぶ領域と及ばない領域で差が生じてしまうこともなくなるので、油槽タンク１内に投入した調理物の品質（揚げ具合）にムラが生じることもなく、高品質な揚げ調理物を極めて短時間で揚げ調理することができる実用性に優れた画期的なフライヤーとなる。
【００２７】
特に電場発生部２を六面の箱状体に形成した場合は、上部側の開口部を閉蓋する蓋体２Ｂとしての多孔板３が電場発生部２内に収容した調理物が電場発生部２外に流出することを防止する役割も果たし、より効果的に調理物に電場効果を作用させることができる。
【００２８】
具体的には、電場発生部２で電場を形成した食用油中に調理物を投入すると、調理物内の水分子がクラスター効果により細分化されて電場を形成しない場合に比して早く蒸発し、この水分がより速く蒸発することによって揚げ調理時間が短縮され、更に、電場中の界面動電現象により、電場発生部２から放射状に発生する電場（電気力線）の向きに油槽タンク１内（電場発生部内）の食用油が流動するので、食用油と調理物との熱交換が効率的に行われて、更に揚げ調理時間が短縮されることとなり、より一層揚げ調理時間の短縮化を実現でき、また、この揚げ調理時間が短縮化されることで、食用油の消費量が低減でき、更に調理物が吸収する油量も減少しヘルシーな揚げ調理物を提供することができる。
【００２９】
更に、界面動電現象による食用油の流動によって、揚げ調理の際に害となる極性化合物（水や揚げカス）が調理物から離脱する方向に移動するので、この極性化合物が調理物に付着せず、品質が低下しない。
【００３０】
従って、本考案は、食用油中に電場を形成することによって生じるクラスター効果及び界面動電現象による熱交換の効率化を、揚げ調理するために油槽タンク１内に投入した全ての調理物に対して均一に作用させることができるので、高品質な揚げ調理物を安定的且つ効率良く提供することができる実用性に優れた画期的なフライヤーとなる。
【００３１】
しかも、本考案は、電場発生部２にセラミックスとフッ素樹脂をコーティングしたので、電場発生部２の耐熱性、耐久性が向上し、更に電場発生部２が加熱されることによって、この電場発生部２の表面にコーティングしたセラミックスが遠赤外線を放射し、このセラミックスから放射された遠赤外線により、調理物を内部（中心部）側からも加熱することができるので、電場効果と遠赤外線効果の相乗効果により一層揚げ調理時間を短縮することができ、より一層効率的に揚げ調理することができる実用性に優れた画期的なフライヤーとなる。
【００３２】
また更に、この電場発生部２の表面にコーティングしたフッ素樹脂により、電場発生部２に付着した汚れを容易に除去できるので、電場発生部２の洗浄作業が容易となり、常に電場発生部２を良好な衛生状態に保つことができる実用性に優れたフライヤーとなる。
【００３３】
また、本考案の電場発生部２は多孔板３で形成した構成としており、この多孔板３の開孔率が大きいほうが油槽タンク１内の食用油の循環効率が向上し、この油槽タンク１内に収容した調理物を良好に加熱し効率良く揚げ調理することができるが、多孔板３の開孔率が大きすぎると、電場発生部２電場を発生する板部の面積、即ち実質的な電場発生面積が減少してしまうため、食用油中に形成される電場が弱くなり、また、板部の面積が減少することでセラミックスのコーティング面積も減少し、上述した遠赤外線効果も低下し、更に、電場発生部２自体の強度（耐久性）も低下してしまうという問題が生じてしまう。
【００３４】
この点、本考案はこの多孔板３の開孔率を４０％〜６０％に設定したので、油槽タンク１内の食用油の循環が良好に行われ、また、電場発生部２の板部の面積も確保でき食用油中に十分な強度で電場を形成することができ、更にセラミックスのコーティング面積も十分確保できるので、電場発生部２が放射する遠赤外線による効果も十分発揮され、これらの相乗効果により、一層効率良く調理物を揚げ調理することができ揚げ調理時間の短縮を図ることができ、また更に、電場発生部２自体の強度も十分確保でき耐久性にも優れた実用性に優れた画期的なフライヤーとなる。
【実施例】
【００３５】
本考案の具体的な実施例について図面に基づいて説明する。
【００３６】
本実施例は、調理物を揚げ調理する際に用いられ、食用油を貯留する油槽タンク１と、電圧を印加することによって電場を発生する電場発生部２とから成り、食用油を貯留した前記油槽タンク１内に配設した前記電場発生部２に電圧を印加し前記食油中に電場を形成するように構成したフライヤーにおいて、前記電場発生部２を、開孔率４０％〜６０％の多孔板３で五面若しくは六面の箱状体に形成して前記調理物を収容し得るように構成すると共にセラミックス及びフッ素樹脂をコーティングした構成としたフライヤーである。
【００３７】
本実施例について具体的に説明すると、本実施例の電場発生部２は、図１に示すように、多数の油流通孔８を形成した六枚の多孔板３を箱状体に形成した構成とし、具体的には、一枚の方形状の底面用多孔板３とこの底面用多孔板３の各辺に立設する四枚の側面用多孔板３とで構成した上部開口箱状体２Ａと、この上部開口箱状体２Ａの上部開口部を閉蓋する形状に形成した蓋用多孔板３で構成した蓋体２Ｂとから成り、この蓋体２Ｂを上部開口箱状体２Ａに起伏回動自在に設けて、この蓋体２Ｂの手前側を上方に持ち上げることで上部開口箱状体２Ａの上部開口部が開口するように構成している。
【００３８】
この多孔板３に形成した油流通孔８は、油槽タンク１内に貯留した食用油、具体的には、箱状体に形成した電場発生部２の内外の食用油の循環効率を向上させるために形成したものである。
【００３９】
この油流通孔８は、総面積、即ち多孔板３に対しての開孔率が大きいほうが食用油の循環効率が向上するので、多孔板３に形成する際は、できるだけ油流通孔８を多くして（或いは大きくして）、多孔板３の開孔率を大きくするほうが好ましい。
【００４０】
しかしながら、多孔板３の開孔率が大きすぎると、電場を発生する電場発生部２の実質的な面積、即ち電場を発生する板部の面積が減少し、食用油中に形成される電場が弱くなったり、電場発生部２自体の強度が低下し破損し易くなってしまう問題が生じてしまう。
【００４１】
そこで、本実施例では、この多孔板３の開孔率を４０％〜６０％（具体的には５０％）となるように油流通孔８を形成し、電場発生部２の内外の食用油の循環が良好に行われると共に、電場発生部２の板部の面積が確保でき食用油中に十分な強度で電場を形成することができ、更に、電場発生部２自体の強度も十分確保することができる構成としている。
【００４２】
また、この電場発生部２を構成する多孔板３は、セラミックスとフッ素樹脂（本実施例では、ＰＴＦＥ（ポリテトラフルオロエチレン））をコーティングした構成としており、具体的には、多孔板３の表面（内側面と外側面の両面）にセラミックスをコーティングし、このセラミックスを被覆するようにフッ素樹脂をコーティングした構成としている。
【００４３】
即ち、電場発生部２にセラミックスをコーティングすることにより、このセラミックスが食用油中で加熱されることで遠赤外線を放出し、このセラミックスが放出した遠赤外線によって調理物を内部（中心部）からも加熱調理するように構成し、より一層調理物を効率良く加熱すると共に、調理物の内部側と外部側とを均一に加熱し、より高品質な揚げ調理物を作ることができるように構成すると共に、フッ素樹脂をこのセラミックス上にコーティングすることにより、セラミックス表面に形成されている多数のピンホールを封孔状態にし、食用油がこのセラミックス表面のピンホールに吸着し残存しないように構成して、電場発生部２の劣化を防止するように構成している。
【００４４】
更に、本実施例の電場発生部２は、このフッ素樹脂コーティングにより、脆性破壊し易いセラミックスを保護し電場発生部２の耐久性を向上させると共に、この電場発生部２に付着した汚れが容易に除去でき良好な衛生状態を保持することができるように構成している。
【００４５】
尚、上述したセラミックスコーティングとフッ素樹脂コーティングは、電場発生部２の上部開口箱状体２Ａ及び蓋体２Ｂの全ての面に施すことが好ましいが、上部開口箱状体２Ａ側のみに施す構成としても良い。
【００４６】
また、本実施例の電場発生部２は、図２に示すように、この電場発生部２に高電圧を印加するための電源装置と接続する電極接続部９を電場発生部２の上部開口箱状体２Ａに設けた構成とし、この電極接続部９を介して電場発生部２全体に電圧が印加されて、この電場発生部２全体に電場が発生するように構成している。
【００４７】
具体的には、電極接続部９は、後述する油槽タンク１内に設けた電極部10を介して電源装置と接続する構成としている。
【００４８】
より具体的には、本実施例の電極接続部９は、Ｌ字状に形成した構成とし、先端部の下方に向けて垂設した係止爪部９Ａを前記電極部10の係止接続孔10Ａに挿入係止し、この電極部10を介して後述する電源装置の出力部６と接続する構成としている。
【００４９】
また、上述のように構成した電場発生部２を配設する油槽タンク１は、図３，図４に示すように金属板（ステンレス鋼板）から成る上部が開口した箱状に形成すると共に、この上部開口部を閉蓋する開閉蓋11を備えた構成としている。
【００５０】
具体的には、油槽タンク１は、開閉蓋11を油槽タンク１の左右両側の壁面１Ａの上端部に起伏回動自在に枢着して、この開閉蓋11の手前側を持ち上げて起動回動させて開蓋することによって油槽タンク１の上部開口部が開口状態となるように構成している。
【００５１】
また、この油槽タンク１は、油槽タンク１内に食用油を加熱するための加熱部12を配設した構成とし、この油槽タンク１内に配設する加熱部12は、出力が大きい主加熱部12Ａとこの主加熱部12Ａよりも出力が小さい補助加熱部12Ｂとから成り、主加熱部12Ａは、油槽タンク１内の底部側に配設し、補助加熱部12Ｂは、油槽タンク１内の左右両側の壁面１Ａ及び奥側の壁面１Ａの夫々に沿設状態に配設した構成としている。
【００５２】
また、本実施例では、この加熱部12を退避可動自在に構成して、油槽タンク１内を洗浄する際、油槽タンク１内が洗浄し易くなるようにこの加熱部12を油槽タンク１内から退避させることができるように構成しており、具体的には、この加熱部12に加熱部退避操作ハンドル13を連結し、この加熱部退避操作ハンドル13を起動操作すると、加熱部12が起動回動して油槽タンク１内から退避するように構成している。
【００５３】
更に、この油槽タンク１は、電場発生部２を油槽タンク１内に配設した際、この電場発生部２に設けた電極接続部９と接続する電極部10を備えた構成とし、この電極部10は、図２に示すように、電極接続部９の先端部の係止爪部９Ａを挿入係止し得る係止接続孔10Ａを備え、この油槽タンク１内の奥側（後面板側）に設けた絶縁体から成る電極取付部14に設けた構成としている。
【００５４】
また更に、この油槽タンク１は、この油槽タンク１内に電場発生部２を配設する際に、この電場発生部２を支持する電場発生部支持脚部15を設けた構成とし、具体的には、この電場発生部支持脚部15は、絶縁体である合成樹脂（本実施例では、フッ素樹脂を採用）で構成し、油槽タンク１の手前側の前面板内面に設けた構成とし、本実施例では、油槽タンク１内に配設した電場発生部２を、この電場発生部支持脚部15と前述した電極部10の三点で支持する構成としている。
【００５５】
この油槽タンク１内に電場発生部２を配設した際、電場発生部２と油槽タンク１の壁面１Ａが近すぎると、電場発生部２に印加した電圧が油槽タンク１側にリークして電場発生効率が低下してしまうおそれがあるため、本実施例では、この電場発生部２を支持する電極部10（電極取付部14）及び電場発生部支持脚部15を、油槽タンク１内に電場発生部２を配設した際に、この電場発生部２が油槽タンク１の壁面１Ａから２５ｍｍ以上離間して配設されるように、この油槽タンク１内に配設した構成としている。
【００５６】
具体的には、電場発生部２が、油槽タンク１の手前側壁面１Ａ、油槽タンク１内の底面側に配設した主加熱部12Ａ及び油槽タンク１内の左右両側に配設した補助加熱部12Ｂに対して２５ｍｍ以上離間し、油槽タンク１内の奥側に配設した補助加熱部12Ｂに対して４５ｍｍ以上離間するように、電極部10（電極取付部14）及び電場発生部支持脚部15を油槽タンク１内の所定の位置に配設した構成としている。
【００５７】
また、本実施例は、電場発生部２に電圧を印加するための電源装置を備えた構成とし、この電源装置は、図５の回路図に示すように、交流電源に接続する入力部４と、一次コイル５Ａを入力部４に接続し二次コイル５Ｂを出力部６に接続する昇圧用変圧器５と、電場発生部２に接続する出力部６とを備え、昇圧用変圧器５の二次コイル５Ｂの一端をアースに接続し、他端を抵抗部７を介して出力部６に接続する構成としている。
【００５８】
具体的には、昇圧用変圧器５の二次コイル５Ｂの巻き始め側をアースに接続し、巻き終わり側を抵抗部７を介して出力部６に接続する構成とし、このように電源装置を構成することにより、抵抗部７によって流れる電流が制限されるため出力部６側でショートしても昇圧用変圧器５の破損を防止することができ、更に、アースに接続したことによって出力電位が安定して昇圧用変圧器５の出力電圧が安定的且つ効率良く出力されることで、電源装置自体を小型化することができ、この電源装置を小型化することでフライヤー自体もコンパクト化することができるように構成している。
【００５９】
また、本実施例の抵抗部７は、二つ以上（本実施例では、二つ）の抵抗体を並列状態に設けて抵抗部７の発熱を抑えた構成として、電源装置が故障しにくい構成としている。
【００６０】
また、図中符号16は漏電ブレーカー、符号17はヒューズ、符号18はリレーである。
【００６１】
尚、本考案は、本実施例に限られるものではなく、各構成要件の具体的構成は適宜設計し得るものである。
【符号の説明】
【００６２】
１  油槽タンク
１Ａ  壁面
２  電場発生部
３  多孔板
４  入力部
５  昇圧用変圧器
５Ａ  一次コイル
５Ｂ  二次コイル
６  出力部
７  抵抗部
【図１】
0003179641.tif 000003
【図２】
0003179641.tif 000004
【図３】
0003179641.tif 000005
【図４】
0003179641.tif 000006
【図５】
0003179641.tif 000007